(57)【要約】【課題】容積効率を向上できる冷蔵庫を提供する。【解決手段】貯蔵物を冷却保存する貯蔵室３と、冷気を生成する冷却器５と、貯蔵室３に冷気を吐出する吐出口２０ｂを有して冷却器５で生成した冷気を貯蔵室３に導く吐出通路２０と、貯蔵室３から冷気が流入する戻り口２３ａ、２３ｂを有して戻り口２３ａ、２３ｂから流入した冷気を冷却器５に戻す戻り通路２３とを備え、吐出通路２０と戻り通路２３とを貯蔵室３の同じ壁面に並設した。【選択図】図２
2008298354.tif 000002
【特許請求の範囲】
【請求項１】
貯蔵物を冷却保存する貯蔵室と、冷気を生成する冷却器と、前記貯蔵室に冷気を吐出する吐出口を有して前記冷却器で生成した冷気を前記貯蔵室に導く吐出通路と、前記貯蔵室から冷気が流入する戻り口を有して前記戻り口から流入した冷気を前記冷却器に戻す戻り通路とを備え、前記吐出通路と前記戻り通路とを前記貯蔵室の同じ壁面に並設したことを特徴とする冷蔵庫。
【請求項２】
複数の通路を有して前記壁面に取り付けられるダクトにより前記吐出通路と前記戻り通路とを一体に形成したことを特徴とする請求項１に記載の冷蔵庫。
【請求項３】
前記戻り通路の両側方にそれぞれ前記吐出通路を配置して前記吐出通路及び前記戻り通路を鉛直に延びて形成し、前記戻り口が前記戻り通路の下部に配置されるとともに前記吐出口が前記戻り口よりも上方で前記戻り通路から離れた側に配置されることを特徴とする請求項１または請求項２に記載の冷蔵庫。
【請求項４】
貯蔵物を載置する載置棚により前記吐出口と前記戻り口との間が仕切られることを特徴とする請求項３に記載の冷蔵庫。
【請求項５】
前記載置棚を複数設け、前記載置棚により仕切られた複数の段に前記吐出口を設けたことを特徴とする請求項４に記載の冷蔵庫。
【請求項６】
仕切部により隔離されて前記貯蔵室の下部に設けられる隔離室と、前記仕切部により上面が塞がれるとともに周囲に隙間を有して前記隔離室内に配される収納ケースとを備え、前記戻り通路を配した壁面から離れた側で前記仕切部の上下が連通し、前記隔離室に流入する冷気が前記収納ケースの周囲を流通して前記戻り口に導かれることを特徴とする請求項１〜請求項５のいずれかに記載の冷蔵庫。
【請求項７】
前記貯蔵室の上方に冷凍室を設け、前記吐出通路と前記戻り通路とを前記貯蔵室の背面に配置するとともに前記冷却器を前記冷凍室の背面に配置したことを特徴とする請求項１〜請求項６のいずれかに記載の冷蔵庫。
【請求項８】
前記冷凍室の背面に設けられて前記冷却器が配される冷凍室ダクトと、前記戻り通路の上部を分岐して前記冷凍室ダクトに接続される第１、第２分岐路と、前記冷却器の下方に配されて前記冷却器の除霜水を回収するドレンパンと、前記ドレンパンに溜まる除霜水を排水する排水パイプとを備え、前記排水パイプは前記ドレンパンから第１、第２分岐路の間を通って前記戻り通路の後方を下方に延びることを特徴とする請求項７に記載の冷蔵庫。
【発明の詳細な説明】
【技術分野】
【０００１】
本発明は、冷却器で生成した冷気を貯蔵室に吐出する吐出通路と貯蔵室から冷却器に冷気を戻す戻り通路とを有した冷蔵庫に関する。
【背景技術】
【０００２】
従来の冷蔵庫は特許文献１に開示されている。図７、図８はこの冷蔵庫の概略構成を示す正面断面図及び側面断面図である。冷蔵庫１は上部に冷凍室２が設けられ、冷凍室２の下方には冷蔵室３が設けられる。冷凍室２と冷蔵室３とは断熱材を充填した仕切壁４により仕切られる。冷凍室２の前面は扉２ａにより開閉され、冷蔵室３の前面は扉３ａにより開閉される。
【０００３】
冷凍室２の背面には冷気を生成する冷却器５が配され、冷却器５の上方には送風ファン６が配される。冷却器５及び送風ファン６は冷凍室２の背面に設けた冷凍室ダクト（不図示）内に配される。冷凍室ダクトには冷凍室３に臨んで開口する戻り口（不図示）が冷却器５の下方に設けられる。
【０００４】
冷却器５の側方には送風ファン６の排気側に連結される連通路７が設けられる。冷蔵室３の背面の左右方向の中央部には連通路７に連通する吐出通路８が鉛直方向に延びて設けられる。吐出通路８の両側部には冷気を吐出する吐出口８ａが開口する。仕切壁４内には冷蔵室３の前部に開口する戻り口９ａを有した戻り通路９が設けられる。戻り通路９は冷却器５の下方で冷凍室３の冷凍室ダクトに接続される。
【０００５】
上記構成の冷蔵庫１において、冷却器５と熱交換して生成される冷気は送風ファン６の駆動によって矢印Ｄ１に示すように冷凍室２内に吐出される。冷凍室２に吐出された冷気は冷凍室２内を流通して貯蔵物を冷却し、冷凍室ダクトの戻り口を介して冷却器５に戻る。
【０００６】
また、冷凍室ダクトを流通する冷気は送風ファン６の排気側で分岐し、矢印Ｄ２に示すように連通路７を流通して吐出通路８を流通する。吐出通路８を流通する冷気は吐出口８ａから矢印Ｄ３に示すように冷蔵室３内に吐出される。冷蔵室３内に吐出された冷気は冷蔵室３内を流通して貯蔵物を冷却し、矢印Ｄ４に示すように冷蔵室３の前部で戻り口９ａから戻り通路９に流入する。戻り通路９を流通する冷気は矢印Ｄ５に示すように冷凍室３の冷凍室ダクトを介して冷却器５に戻る。
【０００７】
【特許文献１】特許第３８９２８１４号公報（第４頁−第８頁、第１図）
【発明の開示】
【発明が解決しようとする課題】
【０００８】
しかしながら、上記従来の冷蔵庫１によると、戻り通路９を流通する冷気は冷蔵室３内を流通する間に貯蔵物の水分等を含むため、凍結し易くなる。このため、仕切壁４内の戻り通路９の上下に所定の厚みの断熱材を設ける必要があり、仕切壁４の厚みが大きくなる。従って、冷蔵庫１の内容積が小さくなり、容積効率が低くなる問題があった。
【０００９】
本発明は、容積効率を向上できる冷蔵庫を提供することを目的とする。
【課題を解決するための手段】
【００１０】
上記目的を達成するために本発明は、貯蔵物を冷却保存する貯蔵室と、冷気を生成する冷却器と、前記貯蔵室に冷気を吐出する吐出口を有して前記冷却器で生成した冷気を前記貯蔵室に導く吐出通路と、前記貯蔵室から冷気が流入する戻り口を有して前記戻り口から流入した冷気を前記冷却器に戻す戻り通路とを備え、前記吐出通路と前記戻り通路とを前記貯蔵室の同じ壁面に並設したことを特徴としている。
【００１１】
この構成によると、冷却器で生成された冷気は貯蔵室の一壁面に設けた吐出通路を流通し、吐出口から貯蔵室内に吐出される。貯蔵室内に吐出された冷気は貯蔵室内を流通して貯蔵物を冷却し、吐出通路と同じ壁面に設けられた戻り通路に戻り口を介して流入する。戻り通路を流通する冷気は冷却器に戻される。
【００１２】
また本発明は、上記構成の冷蔵庫において、複数の通路を有して前記壁面に取り付けられるダクトにより前記吐出通路と前記戻り通路とを一体に形成したことを特徴としている。
【００１３】
また本発明は、上記構成の冷蔵庫において前記戻り通路の両側方にそれぞれ前記吐出通路を配置して前記吐出通路及び前記戻り通路を鉛直に延びて形成し、前記戻り口が前記戻り通路の下部に配置されるとともに前記吐出口が前記戻り口よりも上方で前記戻り通路から離れた側に配置されることを特徴としている。
【００１４】
この構成によると、例えば貯蔵室の背面の中央部に戻り通路が設けられ、戻り通路の左右に吐出通路が設けられる。吐出通路を流通する冷気は両側部の上方に配された吐出口から吐出され、貯蔵室内を降下した後に略中央部の戻り口に導かれる。
【００１５】
また本発明は、上記構成の冷蔵庫において、貯蔵物を載置する載置棚により前記吐出口と前記戻り口との間との間が仕切られることを特徴としている。この構成によると、例えば、貯蔵室の背面に設けられた吐出口から吐出された冷気が載置棚によって前方へ流通し、載置棚の前方で降下する。載置棚よりも降下した冷気は背面の方向に流通し、下部に設けた戻り口から戻り通路に流入する。
【００１６】
また本発明は、上記構成の冷蔵庫において、前記載置棚を複数設け、前記載置棚により仕切られた複数の段に前記吐出口を設けたことを特徴としている。この構成によると、載置棚により貯蔵室内が複数の段に仕切られ、複数の段に吐出口が設けられる。吐出口から吐出された冷気は載置棚上を流通して載置棚の例えば前方で降下する。吐出口は一部の段に設けられていればよい。
【００１７】
また本発明は、上記構成の冷蔵庫において、仕切部により隔離されて前記貯蔵室の下部に設けられる隔離室と、前記仕切部により上面が塞がれるとともに周囲に隙間を有して前記隔離室内に配される収納ケースとを備え、前記戻り通路を配した壁面から離れた側で前記仕切部の上下が連通し、前記隔離室に流入する冷気が前記収納ケースの周囲を流通して前記戻り口に導かれることを特徴としている。
【００１８】
この構成によると、吐出口から貯蔵室に吐出される冷気は貯蔵室内を降下し、戻り通路を配した壁面から離れた側で仕切部の下方の隔離室に流入する。隔離室に流入した冷気は収納ケースの周囲を流通し、戻り口から戻り通路に流入する。戻り口は仕切部よりも上方に配されてもよく、仕切部よりも下方に配されてもよい。
【００１９】
また本発明は、上記構成の冷蔵庫において、前記貯蔵室の上方に冷凍室を設け、前記吐出通路と前記戻り通路とを前記貯蔵室の背面に配置するとともに前記冷却器を前記冷凍室の背面に配置したことを特徴としている。
【００２０】
また本発明は、上記構成の冷蔵庫において、前記冷凍室の背面に設けられて前記冷却器が配される冷凍室ダクトと、前記戻り通路の上部を分岐して前記冷凍室ダクトに接続される第１、第２分岐路と、前記冷却器の下方に配されて前記冷却器の除霜水を回収するドレンパンと、前記ドレンパンに溜まる除霜水を排水する排水パイプとを備え、前記排水パイプは前記ドレンパンから第１、第２分岐路の間を通って前記戻り通路の後方を下方に延びることを特徴としている。
【００２１】
この構成によると、貯蔵室から戻り通路に流入した冷気は戻り通路を上昇し、第１、第２分岐路で分岐する。第１、第２分岐路で分岐した冷気は冷凍室に設けた冷凍室ダクトを通って冷却器に戻る。冷却器の除霜水はドレンパンに回収され、排水パイプを介して排水される。排水パイプはドレンパンから第１、第２分岐路の間を通って後方に延び、戻り通路の後方を下方に延びて配される。
【発明の効果】
【００２２】
本発明によると、貯蔵室の同じ壁面に冷気を吐出する吐出通路と冷気を冷却器に戻す戻り通路とを並設したので、他の貯蔵室との仕切壁に戻り通路を設ける必要がなく仕切壁の厚みを小さくすることができる。従って、冷蔵庫の容積効率を向上することができる。
【００２３】
また本発明によると、複数の通路を有して壁面に取り付けられるダクトにより吐出通路と戻り通路とを一体に形成したので、部品点数を削減して吐出通路と戻り通路とを並設した冷蔵庫を簡単に実現することができる。
【００２４】
また本発明によると、戻り通路の両側方に吐出通路を配置して戻り口が下部に配置され、吐出口が上部の戻り通路から離れた側に配置されるので、貯蔵室の側方に吐出された冷気が降下して略中央部の戻り口に戻る。従って、貯蔵室内を冷気が循環し、ショートサーキットを防止して冷却効率を向上できるとともに貯蔵室内の温度を均一にすることができる。
【００２５】
また本発明によると、戻り通路の下部に配置した戻り口と戻り口よりも上方に配置した吐出口との間が載置棚により仕切られるので、貯蔵室に吐出された冷気のショートサーキットをより確実に防止することができる。従って、冷却効率がより向上するとともに、貯蔵室内の温度をより均一にすることができる。
【００２６】
また本発明によると、載置棚により仕切られた複数の段に吐出口を設けたので、各段に載置された貯蔵物を確実に冷却することができる。
【００２７】
また本発明によると、隔離室を仕切る仕切部により上面が塞がれる収納ケースを周囲に隙間を有して隔離室内に配し、戻り通路を配した壁面から離れた側で仕切部の上下が連通して冷気が収納ケースの周囲を流通して戻り口に導かれるので、収納ケース内の貯蔵物を間接冷却して貯蔵物の乾燥を防止することができる。
【００２８】
また本発明によると、吐出通路と戻り通路とを貯蔵室の背面に配置して貯蔵室の上方に設けた冷凍室の背面に冷却器を配置したので、冷却器から吐出通路に冷気が容易に導かれ、戻り通路から冷却器に冷気が容易に導かれる。従って、冷気が流通する経路の圧力損失を低減することができる。また、貯蔵室と冷凍室とを仕切る仕切壁に戻り通路を設けると低温の冷凍室により冷気内の水分が凍結し易くなるが、戻り通路が背面に設けられるため容易に凍結を防止できる。
【００２９】
また本発明によると、戻り通路の上部を第１、第２分岐路に分岐して排水パイプがドレンパンから第１、第２分岐路の間を通って戻り通路の後方を下方に延びるので、戻り通路と排水パイプの干渉を簡単に防止し、戻り通路の流路面積を縮小させずに冷気を冷却器に戻すことができる。
【発明を実施するための最良の形態】
【００３０】
以下に本発明の実施形態を図面を参照して説明する。説明の便宜上、前述の図７、図８に示す従来例と同様の部分には同一の符号を付している。図１、図２は一実施形態の冷蔵庫を示す側面断面図及び正面断面図である。冷蔵庫１は上部に冷凍室２が設けられ、冷凍室２の下方には冷蔵室３（貯蔵室）が設けられる。冷凍室２と冷蔵室３とは断熱材を充填した仕切壁４により仕切られる。冷凍室２の前面は扉２ａにより開閉され、冷蔵室３の前面は扉３ａにより開閉される。
【００３１】
冷凍室２の背面には冷凍室ダクト１０が設けられる。冷凍室ダクト１０の前面側の上部には吐出口１０ａが設けられ、下部には戻り口１０ｂが設けられる。冷凍室ダクト１０内には冷気を生成する冷却器５が配され、冷却器５の上方に送風ファン６が配される。冷却器５の下方には冷却器５の除霜水を回収するドレンパン１１が設けられる。また、冷凍室ダクト１０は送風ファン６の排気側で分岐して冷却器５の右方に配された連通路７を有している。
【００３２】
冷蔵室３の上部にはチルド温度帯等の低温保存が可能な低温ケース１８が配される。低温ケース１８の背面は開口し、後述する吐出口２０ｃから冷気が流入する。低温ケース１８の下方には樹脂成形品により形成して貯蔵物を載置する複数の載置棚１３が設けられる。載置棚１３は冷蔵室３の側壁に突設された複数のレール１３ａの上面に載せられ、高さ方向の位置を貯蔵物にあわせて適時変えられるようになっている。
【００３３】
冷蔵室３の下部には隔離室から成る野菜室１６が設けられる。野菜室１６は樹脂成形品により形成された板状の仕切部１４により冷蔵室３の上部と仕切られる。仕切部１４の上下は仕切部１４の前方の連通部１４ａで連通する。また、仕切部１４の後端には開口部１４ｂが設けられる。野菜室１６内には仕切部１４により上面が塞がれる収納ケース１５が出し入れ自在に配される。収納ケース１５は野菜室１６の壁面との間に冷気が流通する隙間１６ａを有して配される。
【００３４】
冷蔵室３の背面には鉛直方向に延びた吐出通路２０及び戻り通路２３が並設される。図３は図２のＡ−Ａ断面図を示している。吐出通路２０及び戻り通路２３は複数の通路を有した発泡樹脂成形品の断熱材から成るダクト２６を冷蔵室３の背壁に取り付けて形成される。これにより、吐出通路２０と戻り通路２３とが一体に形成され、部品点数を削減することができる。
【００３５】
ダクト２６の上記各通路は断熱材によって隔てられる。このため、吐出通路２０を流通する冷気と戻り通路２３を流通する冷気に温度差があっても、これらの間の冷熱の受け渡し量が微小となる。このため、吐出通路２０を流通する冷気の冷熱が戻り通路２３を流通する冷気に伝達されることによる冷蔵室３の冷却効率の低下を防止することができる。
【００３６】
また、ダクト２６の前面側は樹脂成形品から成るパネル２７により覆われている。ダクト２６とパネル２７とは夫々に設けた凹部と凸部とが係合して一体となり、冷蔵室３の背面に着脱自在に取り付けられている。
【００３７】
図４は吐出通路２０を通る断面を示す側面断面図である。吐出通路２０は上部でダンパ１７を介して連通路７に連通する。また、図５は図２のＢ−Ｂ断面図を示している。吐出通路２０はダンパ１７の下方で戻り通路２３の前面側に配された分岐部２０ａを有している。
【００３８】
図２において、吐出通路２０は分岐部２０ａで左右に分岐し、戻り通路２３の左右にそれぞれ配された左通路２１及び右通路２２を有している。左通路２１の左側面及び右通路２２の右側面には冷気を吐出する複数の吐出口２０ｂがそれぞれ設けられる。
【００３９】
戻り通路２３は上部で左右に分岐した第１、第２分岐路２４、２５を有している。図６は戻り通路２３を通る断面を示す側面断面図である。第１、第２分岐路２４、２５は冷凍室ダクト１０の背面側に配される。冷却器５の下方で冷凍室ダクト１０の背面側に開口した連通口２４ａ、２５ａを介して冷凍室ダクト１０と第１、第２分岐路２４、２５とが連通する。
【００４０】
戻り通路２３は前面側を覆うパネル２７の下端に正面に開口する戻り口２３ａが設けられる。また、戻り通路２３は下面が開口し、開口部１４ｂ（図１参照）に面した戻り口２３ｂが形成される。戻り口２３ａ、２３ｂは仕切部１４（図１参照）の直上に配される。
【００４１】
ドレンパン１１の排水口１１ａの下方には排水パイプ１２の受け部１２ａが配される。図６に示すように、受け部１２ａは第１、第２分岐路２４、２５の前方に配される。排水パイプ１２は受け部１２ａから第１、第２分岐路２４、２５の間を通って後方に延び、戻り通路２３の背後に配されて下方に延びる。ドレンパン１１に溜まる除霜水は排水パイプ１２を介して蒸発皿（不図示）に排水される。従って、戻り通路２３は第１、第２分岐路２４、２５に分岐して流路面積が縮小されず、戻り通路２３と排水パイプ１２の干渉を簡単に防止することができる。
【００４２】
上記構成の冷蔵庫１において、送風ファン６の駆動によって冷凍室ダクト１０を流通する空気は冷却器５と熱交換して冷気が生成される。冷却器５により生成された冷気は吐出口１０ａから矢印Ｅ１（図１参照）に示すように冷凍室２内に吐出される。冷凍室２に吐出された冷気は冷凍室２内を流通して貯蔵物を冷却し、戻り口１０ｂを介して冷却器５に戻る。
【００４３】
また、送風ファン６の排気側で冷気は矢印Ｅ２（図２、図４参照）に示すように分岐し、連通路７を流通する。連通路７を流通する冷気はダンパ１７を介して吐出通路２０に流入し、分岐部２０ａで分岐する。吐出通路２０に流入した冷気の一部は矢印Ｅ３（図１参照）に示すように分岐部２０ａから吐出口２０ｃを介して低温ケース１８内に吐出される。低温ケース１８はダンパ１７を通過した冷気が直ちに多量に供給されるため低温に維持される。低温ケース１８内を流通した冷気は主に低温ケース１８の前面側から冷蔵室３内に流出する。
【００４４】
尚、低温ケース１８内の冷気の冷熱や冷却された貯蔵物の冷熱は低温ケース１８の下面から下方へ放出される。低温ケース１８の下方に配された貯蔵物は低温ケース１８の前方に送られる冷気の降下により直接冷却され、低温ケース１８の下面側から放出される冷熱により間接冷却される。
【００４５】
これにより、後述する吐出口２０ｂから吐出される冷気の量を少なくしても冷蔵室３の下部を充分冷却することができる。特に下段の吐出口２０ｂから吐出される冷気量を抑えることができることになる。従って、冷気が貯蔵物に直接当ることによる貯蔵物の乾燥を極力抑制できるようになる。
【００４６】
分岐部２０ａで分岐した冷気は吐出通路２０の左通路２１及び右通路２２を矢印Ｅ４、Ｅ５（図２、図４参照）に示すように流下する。吐出通路２０を流下する冷気は吐出口２０ｂから矢印Ｅ６（図１〜図４参照）に示すように冷蔵室３内に吐出される。この時、吐出口２０ｂは左通路２１及び右通路２２の側面に設けられるため、図２、図３に示すように側方に向けて吐出される。
【００４７】
冷蔵室３内に吐出された冷気は矢印Ｅ７（図１、図４参照）に示すように載置棚１３に沿って前方へ流通する。吐出口２０ｂが上下方向に複数設けられるので複数の載置棚１３により仕切られた各段の貯蔵物を容易に冷却することができる。尚、吐出口２０ｂが設けられない段の貯蔵物の場合は、上下の載置棚１３に沿って流通する冷気により載置棚１３を介して間接的に冷却される。
【００４８】
載置棚１３に沿って流通する冷気は載置棚１３の前方で矢印Ｅ８（図１、図４参照）に示すように降下する。冷蔵室３の前部を降下する冷気の一部は仕切部１４上を矢印Ｅ９（図１参照）に示すように流通し、正面側の戻り口２３ａを介して戻り通路２３に流入する。
【００４９】
また、冷蔵室３の前部を降下する冷気の一部は仕切部１４の前方の連通部１４ａを介して野菜室１６内に流入する。野菜室１６に流入した冷気は矢印Ｅ１０（図１参照）に示すように収納ケース１５の周囲の隙間１６ａを流通する。尚、隙間１６ａは収納ケース１５の側方にも設けられる。
【００５０】
収納ケース１５の周囲を流通する冷気は後方の開口部１４ｂを介して仕切部１４の上方に流通し、下面側の戻り口２３ｂを介して戻り通路２３に流入する。収納ケース１５は上面を塞ぐ仕切部１４に沿って流通する冷気（Ｅ９）と、周囲の隙間１６ａを流通する冷気（Ｅ１０）によって内部の貯蔵物が間接冷却される。
【００５１】
戻り通路２３に流入した冷気は矢印Ｅ１１（図２、図６参照）に示すように上昇する。戻り通路２３を上昇する冷気は矢印Ｅ１２、Ｅ１３（図２、図６参照）に示すように第１、第２分岐路２４、２５に分岐する。第１、第２分岐路２４、２５を流通する冷気は連通口２４ａ、２５ａを介して冷凍室ダクト１０に流入し、冷却器５に戻る。
【００５２】
左右に設けた連通口２４ａ、２５ａを介して冷気を冷却器５に戻すため、連通口２４ａ、２５ａの開口面積を適切に形成することによって冷却器５に戻る冷気量を調整できる。これにより、冷却器５の霜付きの状態を容易に調整することができ、左右方向で均一に霜を付着させることができる。
【００５３】
従って、除霜の効率を向上することができ、除霜時間の短縮による省電力化を図ることができる。特に、冷却器５の左右方向の幅が大きい場合に該効果が大きい。このため、冷却器５の左右方向の幅を大きくすると、冷却器５の熱交換量が増加して冷却効率の向上が図られるとともに除霜時の電力消費を抑制することができる。
【００５４】
本実施形態によると、冷蔵室３の同じ壁面である背面に冷気を吐出する吐出通路２０と冷気を冷却器５に戻す戻り通路２３とを並設したので、従来例のように冷凍室２との仕切壁４に戻り通路を設ける必要がなく仕切壁４の厚みを小さくすることができる。従って、冷蔵庫１の容積効率を向上することができる。
【００５５】
特に、仕切壁４が低温の冷凍室２に隣接するため仕切壁４に戻り通路を設けると冷気内の水分が凍結し易くなるが、戻り通路２３が背面に設けられるため容易に凍結を防止できる。また、冷却器５が冷凍室２の背面に配されるため冷却器５から背面の吐出通路２０に冷気が容易に導かれ、背面の戻り通路２３から冷却器５に冷気が容易に導かれる。従って、冷気が流通する経路の圧力損失を低減することができる。尚、吐出通路２０及び戻り通路２３を貯蔵室の側壁面に並設してもよい。
【００５６】
また、戻り通路２３の両側方に左通路２１及び右通路２２を配置して戻り口２３ａが下部に配置され、吐出口２０ｂが上部の左通路２１及び右通路２２の側面に配置されるので、冷蔵室３の側方に吐出された冷気が降下して略中央部の戻り口２３ａに戻る。従って、冷蔵室３内を冷気が循環し、ショートサーキットを防止して冷却効率を向上できるとともに冷蔵室３内の温度を均一にすることができる。吐出口２０ｂは戻り通路２３から離れた側部に配置されていれば正面に向けて形成してもよい。
【００５７】
尚、戻り口２３ａ、２３ｂと吐出口２０ｂとの間を載置棚１３により仕切るとより望ましい。これにより、吐出口２０ｂから吐出された冷気のショートサーキットをより確実に防止することができる。従って、冷却効率がより向上するとともに、冷蔵室３内の温度をより均一にすることができる。これにより、背面に吐出通路２０と戻り通路２３を設けて仕切壁４の厚みを少なくして冷蔵室３の容積を大きくしても、冷却効率のよい冷蔵庫１を得ることができる。
【００５８】
また、野菜室１６を仕切る仕切部１４により上面が塞がれる収納ケース１５を周囲に隙間１６ａを有して野菜室１６内に配し、戻り通路２３を配した背面から離れた前面側で仕切部１４の上下が連通して冷気が収納ケース１５の周囲を流通して戻り口２３ｂに導かれるので、収納ケース１５内の貯蔵物を間接冷却して貯蔵物の乾燥を防止することができる。
【００５９】
また、戻り口２３ａ、２３ｂが仕切部１４の直上に配され、仕切部１４が戻り口２３ａ、２３ｂ近傍で開口するので、仕切部１４の上面に沿って冷気を容易に流通させて収納ケース１５内をより冷却することができる。また、野菜室１６を流通した冷気を簡単に戻り口２３ｂに導くことができる。
【００６０】
また、戻り口２３ａ、２３ｂが戻り通路２３の正面と下面とに設けられるので、仕切部１４の上面に沿って流通する冷気が正面側の戻り口２３ａに流入し、野菜室１６を流通して仕切部１４の開口部１４ｂを上昇する冷気が下面側の戻り口２３ｂに流入する。従って、冷気が円滑に流通して圧力損失を低くすることができる。尚、戻り通路２３を野菜室１６内まで延設して戻り口２３ｂを野菜室１６内に設けてもよい。
【産業上の利用可能性】
【００６１】
本発明によると、冷気を吐出する吐出通路と冷気を冷却器に戻す戻り通路とを有する冷蔵庫に利用することができる。
【図面の簡単な説明】
【００６２】
【図１】本発明の実施形態の冷蔵庫を示す側面断面図
【図２】本発明の実施形態の冷蔵庫を示す正面断面図
【図３】図２のＡ−Ａ断面図
【図４】本発明の実施形態の冷蔵庫の吐出通路を通る断面を示す側面断面図
【図５】図２のＢ−Ｂ断面図
【図６】本発明の実施形態の冷蔵庫の戻り通路を通る断面を示す側面断面図
【図７】従来の冷蔵庫を示す正面断面図
【図８】従来の冷蔵庫を示す側面断面図
【符号の説明】
【００６３】
１    冷蔵庫
２    冷凍室
３    冷蔵室
４    仕切壁
５    冷却器
６    送風ファン
７    連通路
８、２０  吐出通路
８ａ、２０ｂ、２０ｃ  吐出口
９、２３  戻り通路
９ａ、２３ａ、２３ｂ  戻り口
１０    冷凍室ダクト
１１    ドレンパン
１２    排水パイプ
１３    載置棚
１４    仕切部
１４ｂ  開口部
１５    収納ケース
１６    野菜室
１７    ダンパ
１８    低温ケース
２１    左通路
２２    右通路
２４    第１分岐路
２５    第２分岐路
２６    ダクト
２７    パネル
【図１】
2008298354.tif 000003
【図２】
2008298354.tif 000004
【図３】
2008298354.tif 000005
【図４】
2008298354.tif 000006
【図５】
2008298354.tif 000007
【図６】
2008298354.tif 000008
【図７】
2008298354.tif 000009
【図８】
2008298354.tif 000010